(57)【要約】【課題】光源からの光の光度や色調を変化させることなく、導光部材から出射される光の光度や色調を変化させることができる照明装置を提供する。 【解決手段】  本発明の入力装置１００は、光源１０と、入射面２１と出射面２２とを有し、レイリー散乱を起こす導光部材２０と、前記光源１０の光の出射方向を変更するための角度調整装置３０と、を有していることを特徴とする。かかる構成を採用することによって、光の入射角度を変更することで、例えば光源に様々な波長の光を有する白色光を使用した場合において、導光部材に対して垂直に光を入射した状態から光の入射角度を変更させることによって、光源により遠い位置から順に青い光から赤い光に変化していく照明装置とすることができる。【選択図】図１
2020087501.tif 000002
【特許請求の範囲】
【請求項１】
光源と、
入射面と出射面とを有し、レイリー散乱を起こす導光部材と、
前記光源の光の出射方向を変更するための角度調整装置と、
を有していることを特徴とする照明装置。
【請求項２】
光源と、
入射面と出射面とを有し、レイリー散乱を起こす導光部材と、
前記光源からの光の出射方向を変更するための角度調整装置と、
を有していることを特徴とする照明装置。
【請求項３】
前記導光部材は、平均粒径が５ｎｍ以下の粒子が分散された導光部材、平均泡径が５ｎｍ以下の気泡又は液泡が分散された導光部材、平均幅が５ｎｍ以下のクレーズが形成された導光部材のいずれか１つからなることを特徴とする請求項１又は２に記載の照明装置。
【請求項４】
前記角度調整装置は、周面の一部に出射部が形成され、前記出射部が前記導光部材の入射面に対して対向するように配置された光を伝送可能な光ファイバーと、
前記光ファイバーの外周方向の角度を変更可能な回動装置と、
を備えていることを特徴とする請求項２又は３に記載の照明装置。
【請求項５】
前記角度調整装置は、光が透過可能でかつ所定の圧力で湾曲可能な素材で外面が形成された断面が三角形の外殻部と、前記外殻部内に封入された光が透過可能な液体と、からなることを特徴とする請求項２又は３に記載の照明装置。
【請求項６】
前記外殻部に圧力を加えることが可能な加圧装置と、を備え、
前記加圧装置によって圧力を加えることにより、内部を通過した光が出射する際の光の出射方向を変更させることを特徴とする請求項５に記載の照明装置。
【請求項７】
前記角度調整装置は、光が透過可能な樹脂製の光路変更用導光部材と、前記光路変更用導光部材に対して圧力を加えることが可能な押圧部材と、を備え、
前記押圧部材によって前記光路変更用導光部材に圧力を加えることにより、内部を通過した光が出射する際の光の出射方向を変更させることを特徴とする請求項２又は３に記載の照明装置。
【請求項８】
前記角度調整装置に代えて、光源を導光部材の入射面に水平であって、かつ出射面に対して垂直方向へ移動させることができる光源位置変更装置が設けられていることを特徴とする請求項１に記載の照明装置。
【発明の詳細な説明】
【技術分野】
【０００１】
本発明は、照明装置に関し、特には、光源の色調や光度を変更することなく、色調を変化させたり、光度を変化させたりすることができる照明装置に関する。
【背景技術】
【０００２】
散乱パネルを使用した照明装置としては、光源と光を反射する反射層と、透光性を有し、前記反射層の表面側に設けられる光拡散層と、透光性を有し、前記光拡散層の表面側に設けられて前記光拡散層と対面する散乱パネルとを備え、前記散乱パネルと前記反射層及び前記光拡散層との間隔の少なくとも一部は、前記散乱パネルの一端側から他端側に向かうにつれて変化し、前記光源は、前記散乱パネルの前記一端側に設けられ、前記光拡散層及び前記散乱パネルに向かう光を照射する姿勢で配置されるものが提案されている（特許文献１）。
【０００３】
係る照明装置によれば、例えば、発光モジュールにおける橙色光源の出力を中程度にし、発光モジュールにおける白色光源及び青色光源の出力を中程度よりも小さくする。この場合、散乱パネルにおいて、発光モジュール側から明るい橙色光が出射され、発光モジュールから遠ざかるにしたがって次第に暗くなる青色光が出射される。つまり、散乱パネル０では、散乱パネルの一端側及び他端側から中央近傍に向かうにしたがって、橙色光から次第に青色光に変化し、明るさにおいても次第に暗くなるように変化するグラデーションの光が出射され、透光板の遥か遠くに、実際の夕焼けが広がっているように見える、という効果を有する。
【０００４】
しかしながら、係る照明装置は、一枚の散乱パネルから散乱パネルの一端側及び他端側から中央近傍に向かうにしたがって、橙色光から次第に青色光に変化し、明るさにおいても次第に暗くなるように変化するグラデーションの光が出射される効果を有するものの、光源からの光の色調や光度を変化させなければ、明るさ及び色調を変化させることができないという問題点があった。
【先行技術文献】
【特許文献】
【０００５】
【特許文献１】特開２０１８−６０６２４号公報
【発明の概要】
【発明が解決しようとする課題】
【０００６】
そこで、本発明は、光源の光の光度や色調を変化させることなく、導光部材から出射される光の光度や色調を変化させることができる照明装置を提供することを目的とする。
【課題を解決するための手段】
【０００７】
本発明は、上述の主目的を達成するために以下の手段を採った。
【０００８】
本発明に係る照明装置は、
光源と、
入射面と出射面とを有し、レイリー散乱を起こす導光部材と、
前記光源の光の出射方向を変更するための角度調整装置と、
を有していることを特徴とする。
【０００９】
本発明に係る照明装置によれば、レイリー散乱を起こす導光部材に対して、光の入射角度を変更することで、例えば光源に様々な波長の光を有する白色光を使用した場合において、導光部材に対して垂直に光を入射した状態から光の入射角度を変更させることによって、光源により遠い位置から順に青い光から赤い光に変化していく照明装置とすることができる。すなわち、光源自体の光の色調を変化させることなく導光部材から出射する光の色調を変化させることができる照明装置を提供することができる。
【００１０】
また、本発明に係る照明装置において、
光源と、
入射面と出射面とを有し、レイリー散乱を起こす導光部材と、
前記光源からの光の出射方向を変更するための角度調整装置と、
を有していることを特徴とするものであってもよい。
【００１１】
光源自体を移動させることなく、光源と導光部材との間に光の入射角度を変化させることができる角度調整装置を配置することによって、前述した照明装置と同様の効果を得ることができる。
【００１２】
さらに、本発明に係る照明装置において、前記導光部材は、平均粒径が５ｎｍ以下の粒子が分散された導光部材、平均泡径が５ｎｍ以下の気泡又は液泡が分散された導光部材、平均幅が５ｎｍ以下のクレーズが形成された導光部材のいずれか１つからなることを特徴とするものであってもよい。
【００１３】
さらに、本発明に係る照明装置において、
前記角度調整装置は、周面の一部に出射部が形成され、前記出射部が前記導光部材の入射面に対して対向するように配置された光を伝送可能な光ファイバーと、
前記光ファイバーの外周方向の角度を変更可能な回動装置と、
を備えていることを特徴とするものであってもよい。
【００１４】
さらに、本発明に係る照明装置において、
前記角度調整装置は、光が透過可能でかつ所定の圧力で湾曲可能な素材で外面が形成された断面が三角形の外殻部と、前記外殻部内に封入された光が透過可能な液体と、からなることを特徴とするものであってもよい。
【００１５】
さらに、本発明に係る照明装置において、
前記外殻部に圧力を加えることが可能な加圧装置と、を備え、
前記加圧装置によって圧力を加えることにより、内部を通過した光が出射する際の光の出射方向を変更させることを特徴とするものであってもよい。
【００１６】
さらに、本発明に係る照明装置において、
前記角度調整装置は、光が透過可能な樹脂製の光路変更用導光部材と、前記光路変更用導光部材に対して圧力を加えることが可能な押圧部材と、を備え、
前記押圧部材によって前記光路変更用導光部材に圧力を加えることにより、内部を通過した光が出射する際の光の出射方向を変更させることを特徴とするものであってもよい。
【００１７】
さらに、本発明に係る照明装置において、
前記角度調整装置に代えて、光源を導光部材の入射面に水平であって、かつ出射面に対して垂直方向へ移動させることができる光源位置変更装置が設けられていることを特徴とするものであってもよい。
【図面の簡単な説明】
【００１８】
【図１】図１は、第１実施形態に係る照明装置１００の斜視図である。
【図２】図２は、第１実施形態に係る照明装置１００の側面図である。
【図３】図３は、第２実施形態に係る照明装置１０１の斜視図である。
【図４】図４は、第３実施形態に係る照明装置１０２の一部側面図である。
【図５】図５は、第４実施形態に係る照明装置１０３の側面図である。
【図６】図６は、第５実施形態に係る照明装置１０４の側面図である。
【図７】図７は、第６実施形態に係る照明装置１０５の斜視図である。
【図８】図８は、第６実施形態に係る照明装置１０５の光の入射状態を示す模式図である。
【発明を実施するための形態】
【００１９】
以下、本発明に係る照明装置１００について、図面に沿って詳細に説明する。図１は、本発明の実施形態に係る照明装置１００の斜視図であり、図２は、本発明の実施形態に係る照明装置１００の側面図である。
【００２０】
（第１実施形態）
本発明に係る照明装置１００は、図１又は図２に示すように、主として、光源１０と、光源１０からの光を入射し、所定方向に光を出射する導光部材２０と、光源１０の光の出射方向を変更する角度調整装置３０と、を備えている。
【００２１】
光源１０は、特に限定するものではなく、ＬＥＤ、蛍光灯、冷陰極型蛍光管等、種々の光源を使用することができ、特に限定するものではない。後述するように本発明では導光部材２０にレイリー散乱を起こす素材を使用するので、複数の波長を有する白色光源を使用すると、光源１０からの距離に応じて色調が変化するため、グラデーション効果を効率的に発揮させることができる。一方で、単色光を用いた場合には、光源１０から近いほど明るくかつより鮮明に色合いを表現でき、光源１０から遠いほど暗くなるように表現することができる。本実施形態においては、ＬＥＤ基板１１に直列に複数配置された白色発光ＬＥＤを光源１０として使用している。ＬＥＤ基板１１は、断面Ｃ型に形成されたＣ型鋼、いわゆるＣ型チャンネル１５の内側に取り付けられており、ＬＥＤからの光が側面側へ逃げづらいように構成されている。
【００２２】
導光部材２０は、レイリー散乱を起こす導光部材２０が使用される。レイリー散乱を起こす導光部材２０としては、例えば、平均粒子径が光源１０からの入射光の波長よりも小さい粒子が分散されているものが挙げられる。粒子としては、金属や、その酸化物又は樹脂、粘土鉱物、金属コロイド等種々の素材が使用されるが特に限定するものではない。例えば、ポリカーボネート、ＰＭＭＡ、ポリエチレンテレフタレート等の高透過性の樹脂に、１０重量％以下で配合、分散した樹脂材等が挙げられる。また、平均泡径が光源１０からの入射光の波長よりも小さい気泡又は液泡が分散されているもの、あるいは平均幅が光源１０からの入射光の波長よりも短い幅のクレーズが形成されたもの等が挙げられる。粒子あるいは気泡又は液泡の場合には、可視光が概ね３８０ｎｍ〜７５０ｎｍであるので、平均粒径又は平均泡径が１００ｎｍよりも小さい粒子あるいは気泡又は液泡であることが好ましく、クレーズの場合は、平均幅が１００ｎｍより狭いクレーズであることが好ましい。より好ましくは、５ｎｍ以下の平均粒子径、平均泡径及び平均幅に形成すると良い。レイリー散乱は、光の波長よりも小さな物体に光が当たった際に起こる散乱であり、その散乱強度は光の波長に応じて波長が短いほど大きくなり、波長が長いほど小さくなる。従って、レイリー散乱では、短波長の青色光は散乱され易く、長波長の赤色光は散乱されにくいという性質を有する。このため、可視光のすべての波長の光が均等に混ざった白色光を導光部材２０に入射させると、光源１０側は青色に見え、光源１０側から遠い部分は赤色になるようにグラデーション状の色調を呈する。単色光の場合は、光源１０側から色調が徐々に薄くなり、かつ明るさが暗くなるような色調を呈する。
【００２３】
導光部材２０は、光源１０からの光を入射する入射面２１と、入射面２１から入射された光を出射する出射面２２を有する。出射面２２は、入射面２１に対して非平行面で形成される。すなわち、本発明は、光源１０から近い部分と遠い部分による光の色調の変化等を利用するものであるので、光源１０からの光が入射される入射面２１に対し、近い部位と遠い部位のいずれからも光を出射させる面を有するように形成する。好ましくは、入射面２１に対して７０°から１１０°程度の角度を有する面に形成することが好ましい。導光部材２０は、入射面２１から入射された光が光源１０から遠ざかるにつれて光の光度及び／又は色調が変化することを利用したものであるため、出射面２２が狭すぎると本発明の効果を十分に発揮しづらくなるからである。
【００２４】
導光部材２０の出射面２２と反対側の面には、光を反射するための反射板２５が設けられている。反射板２５としては、例えば、白色板、乳半板等が使用される。
【００２５】
角度調整装置３０は、導光部材２０の入射面２１に対して光源１０の傾きを変えることにより、導光部材２０に入射する光の入射角度を変更するための装置である。本実施形態においては、ＬＥＤ基板１１が取り付けられたＣ型チャンネル１５の一方端部に電動モータ及びギアからなる回動機構（図示しない。）を有する装置が設けられており、正転逆転スイッチ（図示しない。）等によって入射面２１に対して光源１０の角度を任意の角度で変更可能となっている。
【００２６】
以上のようにして作製された照明装置１００は、光源１０に様々な波長の光を有する白色光を使用した場合において、図２Ａに示したように、入射面２１に対して垂直に光を入射した場合には、光源１０に近い側の出射面２２からは青い光が強い青白い光が出射し、光源１０側から遠くなるにつれ出射面２２から赤い光が出射するようにグラデーション状に光るとともに、遠ざかるにつれて光度が低くなる。この状態から図２Ｂに示したように、光源１０の入射方向を導光部材２０の入射面２１に対して垂直方向から角度をつけて入射させることにより、光源１０により遠い位置から順に青い光から赤い光に変化していくことになり、全体的に赤味が強い光を出射可能な照明装置１００とすることができる。また、光源１０に単色光を使用した場合には、図２Ａに示したように、入射面２１に対して垂直に光を入射した場合には、光源１０に近い位置の出射面からは、単色光の色合いの強い光が強く出射し、光源１０から遠ざかるにつれて色合いが薄くなるとともに弱い光が出射する。この状態から図２Ｂに示したように、光源１０の入射方向を導光部材２０の入射面２１に対して角度をつけて入射させることにより、光源１０の光の届く範囲が徐々に光源１０に近づいていき、光源１０から遠い部位が非常に暗くなっていくように変化する。
【００２７】
（第２実施形態）
第２実施形態に係る照明装置１０１が図３に示されている。第２実施形態に係る照明装置１０１は、第１実施形態に係る照明装置１００対して、角度調整装置３０の構成、導光部材２０が湾曲している点が異なりその他の構成は第１実施形態に係る照明装置１００と同様であるので、その他の構成の説明は省略する。第２実施形態に係る照明装置１０１に係る角度調整装置３０は、光源１０そのものの角度を変更して入射光の角度を変更するのではなく、光源１０と導光部材２０との間に設けられている光ファイバー３１と回動装置５０とからなる角度調整装置３０によって調整する。第２実施形態に係る角度調整装置３０は、図３に示すように、光源１０と導光部材２０の間に光を伝送可能な光ファイバー３１とこの光ファイバー３１を回動する回動装置５０と、を有している。光ファイバー３１は、外周面の一部から光が出射可能な凹凸面又は粗面に形成された出射部３１ａが長手方向に沿って一方向に形成されている。この出射部３１ａが導光部材２０の入射面２１に対向するように配置される。したがって、光源１０から光ファイバー３１の端面に入射した光は、光ファイバー３１の外周面の一部から導光部材２０の入射面２１に向かって光が出射することになる。この光ファイバー３１の光源１０と反対の端部には、第１実施形態と同様に電動モータ及びギアからなる回動機構を有する回動装置５０が設けられており、正転逆転スイッチによって光ファイバー３１を外周方向に回動させることができ、これにより、入射面２１に対して光源１０の角度を任意の角度で変更可能となっている。
【００２８】
第２実施形態に係る照明装置１０１によれば、第１実施形態と同様に、様々な波長の光を有する白色光を使用した場合において、光ファイバー３１から出射される光の入射角度を入射面２１に対して垂直に光を入射した場合には、入射面２１側に近い側の出射面２２からは青い光が強い青白い光が出射し、入射面２１側から遠くなるにつれ赤い光が強い光が出射するようにグラデーション状となるとともに、遠ざかるにつれて光度が低くなる。この状態から光ファイバー３１を長手方向の軸を中心に外周方向へ回転させつつ、光の入射方向を導光部材２０の入射面２１に対して角度をつけて入射させることにより、より入射面２１に遠い位置から徐々に赤い光が入射面２１側に近づくように変化していくことになり、全体的に赤味が強くなった光を出射可能な照明装置１００とすることができる。
【００２９】
この第２実施形態に係る照明装置１０１によれば、入射面２１に入射する光を出射するのに光ファイバー３１を使用しているので、光が出射部３１ａ以外から光が出射する可能性を低減できる。したがって、ＬＥＤを直接使用する場合と比較して側方側へ逃げる光が少ないので周囲を覆う必要を低減することができる。そのため、Ｃ型チャンネル１５を省略することができる。
【００３０】
また、第２実施形態に係る照明装置１０１によれば、入射面２１に入射する光を出射するのに光ファイバー３１を使用しているので、図３に示すように湾曲した導光部材２０のように入射面２１がカーブしている場合であっても、入射面２１に沿わせて光ファイバー３１を設置することができる。また、カーブしている状態でも光ファイバー３１を回転させることができるため、入射角度を自由に変更することができる。
【００３１】
（第３実施形態）
第３実施形態に係る照明装置１０２が図４に示されている。第３実施形態に係る照明装置１０２は、第１実施形態に係る照明装置１００に対して、角度調整装置３０の構成、導光部材２０が異なり、その他の構成は第１実施形態に係る照明装置１００と同様であるので、その他の構成の説明は省略する。第３実施形態に係る照明装置１０２に係る角度調整装置３０は、光源１０そのものの角度を変更するのではなく、光源１０と導光部材２０との間に設けられている。第３実施形態に係る角度調整装置３０は、プラスチック製のフィルム又は板等で外郭の断面が三角形となるように作製された筒状の密閉された外殻部３３内に、光が透過可能な液体３４が封入されている。係る構成の角度調整装置３０は、プリズムのように角度調整装置３０内を光が通過して異なる角度へ出射させることができる。すなわち、外殻部３３で形成される３つの面（３３ａ、３３ｂ、３３ｃ）のうちの一面（本実施形態では３３ａ）に対向するように光源１０が配置され、残り２面のうちの１面（本実施形態では３３ｃ）が導光部材２０の入射面２１に対向するように配置され、光源１０から入射された光は、面３３ｂで反射して角度調整装置３０を介して入射面２１に出射される。この角度調整装置３０には回動装置（図示しない。）が設けられており、回動装置によって角度調整装置３０の角度を変更することによって、入射面２１に対する光の入射角度が変更することができる。これにより、第１実施形態に係る照明装置１００と同様の効果を得ることができる。
【００３２】
係る構成を採用することによって、第１実施形態と同様に、角度調整装置３０から出射される光の入射角度を入射面２１に対して垂直に光を入射した場合には、入射面２１側に近い出射面２２からは青い光が出射し、入射面２１側から遠くなるにつれ赤い光が出射するとともに、遠ざかるにつれて光度が低くなるようにグラデーション状に光ることになる。この状態から光の入射方向を導光部材２０の入射面２１に対して角度をつけて入射させることにより、より光源に近い位置から青い光から赤い光に変化していくことになり、全体的に赤味のました光を出射可能な照明装置１００とすることができる。
【００３３】
また、この角度調整装置３０には加圧装置（図示しない。）が設けられており、加圧装置によって角度調整装置３０の一部に圧力を加えると、図４Ｂに示すように、内部の液体３４の圧力により角度調整装置３０の光入射面３３ａ及び光出射面３３ｃが湾曲するようになっている。このように光入射面３３ａ及び光出射面３３ｃを湾曲面とすることによって、光の出射方向は複雑になり、複雑なグラデーションを有する光を導光部材２０から出射させることができる。
【００３４】
（第４実施形態）
第４実施形態に係る照明装置１０３が図５に示されている。第４実施形態に係る照明装置１０３は、第１実施形態に係る照明装置１００に対して、角度調整装置３０の構成、導光部材２０が異なり、その他の構成は第１実施形態に係る照明装置１００と同様であるので、その他の構成の説明は省略する。
【００３５】
第４実施形態に係る照明装置１０３に係る角度調整装置３０は、光源１０そのものの角度を変更するのではなく、光源１０と導光部材２０との間に設けられている。第３実施形態に係る角度調整装置３０は、鏡が配置され、第１実施形態と同様に回動可能となるように回動装置（図示しない。）が設けられている。よって鏡の角度を変更することによって、第１実施形態と同様の効果を得ることができる。
【００３６】
（第５実施形態）
第５実施形態に係る照明装置１０４が図６に示されている。第５実施形態に係る照明装置１０４は、第１実施形態に係る照明装置１００に対して、角度調整装置３０の構成、導光部材２０が異なり、その他の構成は第１実施形態に係る照明装置１００と同様であるので、その他の構成の説明は省略する。
【００３７】
第５実施形態に係る照明装置１０４に係る角度調整装置３０は、光源１０そのものの角度を変更するのではなく、光源１０と導光部材２０との間に設けられている。第５実施形態に係る角度調整装置３０は、図６Ａに示すように、Ｃ型チャンネル１５に取り付けられたＬＥＤ基板１１の光源１０と導光部材２０の入射面２１との間に樹脂からなる光路変更用導光部材３５と、光路変更用導光部材３５に対して光路方向に対して略垂直方向へ押圧可能な押圧部材３６と、で構成されている。
【００３８】
係る角度調整装置３０は、図６Ｂに示すように、押圧部材３６によって光路変更用導光部材３５に対して圧力を加えることにより、材料の圧縮による屈曲率の変更によって光の出射角度が変更されることになる。これにより、第１実施形態と同様の効果を得ることができる。
【００３９】
（第６実施形態）
第６実施形態に係る照明装置１０５が図７に示されている。第６実施形態に係る照明装置１０５は、第１実施形態に係る照明装置１００に対して、角度調整装置３０に代えて、光源位置変更装置３７が設けられている。その他の構成は第１実施形態に係る照明装置１００と同様であるので、その他の構成の説明は省略する。
【００４０】
第６実施形態においては、拡散光を発光する光源１０が使用される。拡散光からなる光源の場合、様々な角度に光が出射されることから、導光部材２０の入射面２１に対して水平方向に移動した場合にも、図８Ａ及び図８Ｂに示すように光源１０から出射された光の入射面２１に対する入射する角度を変更することができる。そこで、角度調整装置３０に代えて、光源１０を導光部材２０の入射面２１に水平であって、かつ出射面２２に対して垂直方向（図７に示す矢印Ａの方向）へ移動させることができる光源位置変更装置３７が設けられている。
【００４１】
係る光源位置変更装置３７は、図８Ａ及び図８Ｂに示すように、光源１０の位置をかつ出射面２２に対して垂直方向へ移動することで光の出射角度が変更されることになる。これにより、第１実施形態と同様の効果を得ることができる。
【００４２】
以上の第１実施形態〜第６実施形態に係る照明装置１００〜１０５は、例えば、住宅等の内装に設置される照明装置として使用することができる。住宅等の内装に使用する場合には、屋外の明るさに応じて、光の入射角度を変化させることにより、室内の照明の色調を変化させることができる。
【００４３】
また、以上の第１実施形態〜第６実施形態に係る照明装置１００〜１０５は、自動車等の内装部材として使用することができる。例えば、インパネ、ドアトリム、ルーフライナー、スカッフプレート等に設置することで、光の入射角度を変化させることで、赤色系〜青色系の発光を可逆的に得ることができるので、この色調の変化を利用して、時間帯に応じて、色合いを変化させたりすることで雰囲気を変更させることができる。
【００４４】
なお、本発明は上述した実施形態に何ら限定されるものではなく、本発明の技術的範囲に属する限り種々の態様で実施しうる。
【００４５】
上述の実施形態においては、その他の角度調整装置を使用することができる。すなわち、導光部材２０の入射面２１に対して光の入射角度を変更できる構成であれば、種々の構成の装置を使用することができる。
【００４６】
また、上述した実施形態において、導光部材２０自体に意匠を施しても良い。例えば、導光部材に色素を混入させたり、ラメ材を投入したり、又は表面にデザインが施された転写フィルムを貼ったりしてもよい。
【産業上の利用可能性】
【００４７】
上述した実施の形態で示すように、住宅等の内装に設置される照明装置として利用することができる。
【符号の説明】
【００４８】
１０…光源、１１…ＬＥＤ基板、１５…Ｃ型チャンネル、２０…導光部材、２１…入射面、２２…出射面、２５…反射板、３０…角度調整装置、３１…光ファイバー、３１ａ…出射部、３３…外殻部、３３ａ…光入射面、３３ｂ…面、３３ｃ…光出射面、３４…液体、３５…光路変更用導光部材、３６…押圧部材、３７…光源位置変更装置、５０…回動装置、１００…照明装置、１０１…照明装置、１０２…照明装置、１０３…照明装置、１０４…照明装置、１０５…照明装置
【図１】
2020087501.tif 000003
【図２】
2020087501.tif 000004
【図３】
2020087501.tif 000005
【図４】
2020087501.tif 000006
【図５】
2020087501.tif 000007
【図６】
2020087501.tif 000008
【図７】
2020087501.tif 000009
【図８】
2020087501.tif 000010